(57)【要約】【課題】本発明は、組み立て全体の作業効率を向上することができるバケットエレベータの組立方法を提供する。【解決手段】本発明は、上部回転体を軸支する上部ケーシングと、下部回転体を軸支する下部ケーシングと、両回転体間に掛け渡される複数のバケットを装着した無端帯状体を収容する中間ケーシングと、を備えるバケットエレベータの組立方法であって、中間ケーシングは、平行する二側面が開放される中間ケーシング本体と、二側面に装着される蓋体と、を有してなり、上部回転体に帯状体を掛けた状態で上部ケーシングを持ち上げる工程と、上部回転体の両側から上部ケーシングの下方へ垂下する帯状体のそれぞれを、中間ケーシング本体の開口する上面及び開放される二側面から中間ケーシング本体内に収容しつつ中間ケーシング本体を上部ケーシングに固定するとともに、中間ケーシング本体の開放される二側面に蓋体を装着する工程と、を含むことを特徴とする。【選択図】図９
2014234290.tif 000002
【特許請求の範囲】
【請求項１】
上部回転体を軸支する上部ケーシングと、下部回転体を軸支する下部ケーシングと、前記両ケーシング間に配設されて前記両回転体間に掛け渡される複数のバケットを装着した無端帯状体を収容する中間ケーシングと、を備えるバケットエレベータの組立方法であって、
前記中間ケーシングは、平行する二側面が開放される中間ケーシング本体と、前記二側面に装着される蓋体と、を有してなり、
前記上部回転体に複数のバケットを装着した帯状体を掛けた状態で前記上部ケーシングを持ち上げる工程と、
前記上部回転体の両側から前記上部ケーシングの下方へ垂下する前記帯状体のそれぞれを、前記中間ケーシング本体の開口する上面及び前記開放される二側面から該中間ケーシング本体内に収容しつつ当該中間ケーシング本体を前記上部ケーシングに固定するとともに、該中間ケーシング本体の開放される二側面に前記蓋体を装着する工程と、
を含むことを特徴とするバケットエレベータの組立方法。
【請求項２】
前記中間ケーシング本体を前記上部ケーシングに固定した後に前記中間ケーシング本体の開放される二側面に前記蓋体を装着する請求項１記載のバケットエレベータの組立方法。
【請求項３】
前記中間ケーシング本体の平行する二側面が互いに反対方向外向きに開放されてなり、前記上部回転体の両側から垂下する前記帯状体のそれぞれを、前記複数のバケットを装着した面の背面側から、前記中間ケーシング本体内に収容する請求項１又は２記載のバケットエレベータの組立方法。
【請求項４】
前記中間ケーシングは複数の中間ケーシングを上下に組み付けてなり、前記上部ケーシングに固定される中間ケーシングは第１中間ケーシングであって、
第１中間ケーシング本体を前記上部ケーシングに固定するとともに前記第１中間ケーシング本体の開放される二側面に前記蓋体を装着した後に、前記上部ケーシングをさらに持ち上げる工程と、
前記上部回転体の両側から前記第１中間ケーシングの下方へ垂下する前記帯状体のそれぞれを、第２中間ケーシング本体の開口する上面及び前記開放される二側面から該第２中間ケーシング本体内に収容しつつ当該第２中間ケーシング本体を前記第１中間ケーシングに固定するとともに、該第２中間ケーシング本体の開放される二側面に蓋体を装着する工程と、を含み、
前記複数の中間ケーシングを順次下方から組み付ける請求項１乃至３の何れかに記載のバケットエレベータの組立方法。
【請求項５】
前記中間ケーシングは１又は上下に組み付けた複数の中間ケーシングからなり、最下部の中間ケーシングに前記下部ケーシングを固定するとともに、前記上部回転体の両側から前記最下部の中間ケーシングの下方へ垂下する前記帯状体の両端部を接続して前記両回転体間に掛け渡される無端帯状体となす工程と、
を含む請求項１乃至４の何れかに記載のバケットエレベータの組立方法。
【請求項６】
前記上部回転体は駆動プーリー、前記下部回転体は従動プーリーであり、前記帯状体はベルトである請求項１乃至５の何れかに記載のバケットエレベータの組立方法。
【請求項７】
上部回転体を軸支する上部ケーシングと、下部回転体を軸支する下部ケーシングと、前記両ケーシング間に配設されて前記両回転体間に掛け渡される複数のバケットを装着した無端帯状体を収容する中間ケーシングと、を備えるバケットエレベータであって、
前記中間ケーシングは、平行する二側面が開放される中間ケーシング本体と、前記二側面に装着される蓋体と、を有してなり、
請求項１乃至６の何れかに記載の方法により組み立ててなるバケットエレベータ。
【請求項８】
前記上部回転体は駆動プーリー、前記下部回転体は従動プーリーであり、前記帯状体はベルトである請求項７記載のバケットエレベータ。
【発明の詳細な説明】
【技術分野】
【０００１】
本発明は、粒状物等を上方に搬送するバケットエレベータの組立方法及び前記方法により組み立てることができるバケットエレベータに関する。
【背景技術】
【０００２】
従来、粒状物等の被搬送物を上方に搬送する昇降機として、バケットエレベータが知られている。バケットエレベータは、無端ベルトや無端チェーンにバケットを装着してなるバケットコンベアをケーシング内で縦向きに配設したものである。
【０００３】
特許文献１には、ヘッド部をサイロ頂部に搭載し、該ヘッド部のケーシング接合部からワイヤを垂下し、地上において複数のケーシングを組立てつつ前記ワイヤにより前記組み立てたケーシングを順次前記ヘッド部へ吊上げていくバケットエレベータの構築方法、が記載されている。
上記特許文献１に記載された方法によれば、高所での組み立て作業をほとんど必要としないために作業効率が良く、工期の短縮を図ることができる。
【０００４】
しかしながら、上記特許文献１に記載された方法では、ケーシングの組み立てを終えた後に、改めてヘッド部の上方からバケットを装着したベルトやチェーンを投入する等してケーシング内のバケットコンベアを構成しなければならず、バケットエレベータの組み立てにおいて全体の作業効率が必ずしも良いといえるものではない。
【先行技術文献】
【特許文献】
【０００５】
【特許文献１】特公昭６２−９４８４号公報
【発明の概要】
【発明が解決しようとする課題】
【０００６】
そこで、本発明は、組み立て全体の作業効率を向上することができるバケットエレベータの組立方法及び前記方法により組み立てることができるバケットエレベータを提供することを目的とする。
【課題を解決するための手段】
【０００７】
上記目的を達成するため、本発明は、
上部回転体を軸支する上部ケーシングと、下部回転体を軸支する下部ケーシングと、前記両ケーシング間に配設されて前記両回転体間に掛け渡される複数のバケットを装着した無端帯状体を収容する中間ケーシングと、を備えるバケットエレベータの組立方法であって、
前記中間ケーシングは、平行する二側面が開放される中間ケーシング本体と、前記二側面に装着される蓋体と、を有してなり、
前記上部回転体に複数のバケットを装着した帯状体を掛けた状態で前記上部ケーシングを持ち上げる工程と、
前記上部回転体の両側から前記上部ケーシングの下方へ垂下する前記帯状体のそれぞれを、前記中間ケーシング本体の開口する上面及び前記開放される二側面から該中間ケーシング本体内に収容しつつ当該中間ケーシング本体を前記上部ケーシングに固定するとともに、該中間ケーシング本体の開放される二側面に前記蓋体を装着する工程と、
を含むことを特徴とする。
【０００８】
本発明のバケットエレベータの組立方法は、
前記中間ケーシング本体を前記上部ケーシングに固定した後に前記中間ケーシング本体の開放される二側面に前記蓋体を装着することが好ましい。
【０００９】
本発明のバケットエレベータの組立方法は、
前記中間ケーシング本体の平行する二側面が互いに反対方向外向きに開放されてなり、前記上部回転体の両側から垂下する前記帯状体のそれぞれを、前記複数のバケットを装着した面の背面側から、前記中間ケーシング本体内に収容することが好ましい。
【００１０】
本発明のバケットエレベータの組立方法は、
前記中間ケーシングが複数の中間ケーシングを上下に組み付けてなり、前記上部ケーシングに固定される中間ケーシングが第１中間ケーシングであって、
第１中間ケーシング本体を前記上部ケーシングに固定するとともに前記第１中間ケーシング本体の開放される二側面に前記蓋体を装着した後に、前記上部ケーシングをさらに持ち上げる工程と、
前記上部回転体の両側から前記第１中間ケーシングの下方へ垂下する前記帯状体のそれぞれを、第２中間ケーシング本体の開口する上面及び前記開放される二側面から該第２中間ケーシング本体内に収容しつつ当該第２中間ケーシング本体を前記第１中間ケーシングに固定するとともに、該第２中間ケーシング本体の開放される二側面に蓋体を装着する工程と、を含み、
前記複数の中間ケーシングを順次下方から組み付けることが好ましい。
【００１１】
本発明のバケットエレベータの組立方法は、
前記中間ケーシングが１又は上下に組み付けた複数の中間ケーシングからなり、最下部の中間ケーシングに前記下部ケーシングを固定するとともに、前記上部回転体の両側から前記最下部の中間ケーシングの下方へ垂下する前記帯状体の両端部を接続して前記両回転体間に掛け渡される無端帯状体となす工程と、
を含むことが好ましい。
【００１２】
本発明のバケットエレベータの組立方法は、
前記上部回転体が駆動プーリー、前記下部回転体が従動プーリーであり、前記帯状体はベルトであることが好ましい。
【００１３】
また、本発明は、
上部回転体を軸支する上部ケーシングと、下部回転体を軸支する下部ケーシングと、前記両ケーシング間に配設されて前記両回転体間に掛け渡される複数のバケットを装着した無端帯状体を収容する中間ケーシングと、を備えるバケットエレベータであって、
前記中間ケーシングは、平行する二側面が開放される中間ケーシング本体と、前記二側面に装着される蓋体と、を有してなり、
前記何れかの方法により組み立てることができるものである。
【００１４】
本発明のバケットエレベータは、
前記上部回転体が駆動プーリー、前記下部回転体が従動プーリーであり、前記帯状体はベルトであることが好ましい。
【発明の効果】
【００１５】
本発明のバケットエレベータの組立方法によれば、ケーシングの組み立てと同時に、該ケーシング内に配設されるバケットコンベアを構成することができるので、従来のように、ケーシングの組み立てを終えた後に、改めてヘッド部の上方からバケットを装着したベルトやチェーン等の帯状体を投入する等してバケットコンベアを構成する必要がなく、組立工数を削減できるため、バケットエレベータの組み立てにおいて全体の作業効率が向上する。
【００１６】
また、本発明のバケットエレベータの組立方法によれば、中間ケーシングや下部ケーシングを地上において順次組み付けることができるため、作業者は安全に効率よく作業を行うことができる。
【００１７】
さらに、本発明のバケットエレベータの組立方法によれば、前記上部回転体を駆動回転体とすることで該上部回転体の自由な回転を防止できるため、前記上記回転体に前記帯状体を掛けた状態でも組立作業を安全に行うことができる。
【００１８】
本発明のバケットエレベータは、中間ケーシングが、平行する二側面が開放される中間ケーシング本体と、前記二側面に装着される蓋体と、を有してなるので、前記バケットエレベータの組立方法により効率よく組み立てることができる。
【００１９】
また、本発明のバケットエレベータは、中間ケーシングが、平行する二側面が開放される中間ケーシング本体と、前記二側面に装着される蓋体と、を有してなるので、前記蓋体を取り外すことで前記中間ケーシング内の清掃を容易に行うことができる。
【図面の簡単な説明】
【００２０】
【図１】バケットエレベータの正面図。
【図２】中間ケーシングの斜視図。
【図３】中間ケーシングの分解斜視図。
【図４】中間ケーシングの説明図。
【図５】中間ケーシングの他の例の説明図。
【図６】バケットエレベータの組立方法の概略説明図。
【図７】図６における上部ケーシング内の様子を示す説明図。
【図８】バケットエレベータの組立方法の概略説明図。
【図９】図８における上部ケーシング及び中間ケーシング内の様子を示す説明図。
【図１０】バケットエレベータの組立方法の概略説明図。
【図１１】バケットエレベータの組立方法の概略説明図。
【図１２】バケットエレベータの組立方法の概略説明図。
【図１３】バケットエレベータの組立方法の概略説明図。
【発明を実施するための形態】
【００２１】
本発明の実施の形態を図面に基づいて説明する。
図１はバケットエレベータの正面図を示す。
本発明の実施の形態におけるバケットエレベータ１は、上部ケーシング２、中間ケーシング３及び下部ケーシング４を組み付けてなるケーシング内に、当該バケットエレベータ１の設置面に垂直な方向に配設される図示しないバケットコンベアを備える。
【００２２】
前記上部ケーシング２内には図示しない駆動プーリー、前記下部ケーシング４内には図示しない従動プーリーがそれぞれ軸支され、前記両プーリー間に掛け渡される複数のバケットを装着した無端ベルトが前記両ケーシング２，４間に配設される前記中間ケーシング３内に収容されている。
【００２３】
ここで、前記中間ケーシング３は、１又は上下に組み付けた複数の中間ケーシング３ａ，３ｂ・・・から構成される。図１の例では、前記中間ケーシング３は、第１中間ケーシング３ａ，第２中間ケーシング３ｂ，第３中間ケーシング３ｃ及び第４中間ケーシング３ｄの４つのケーシングを上下に組み付けて構成されている。
【００２４】
また、前記下部ケーシング４には図示しない被搬送物の供給口が形成され、前記上部ケーシング２には図示しない被搬送物の排出口が形成されている。
そして、上部ケーシング２には、前記駆動プーリーに動力を伝達する図示しないモータが設置されている。
前記バケットエレベータ１は、前記モータにより前記バケットコンベアを駆動することで、前記下部ケーシング４の供給口から供給される被搬送物を前記バケット内に収容して上方へ搬送し、前記搬送物を前記上部ケーシング２の排出口から排出する。
【００２５】
図２は中間ケーシングの斜視図、図３は中間ケーシングの分解斜視図、及び図４は中間ケーシングの説明図をそれぞれ示す。
図４に示すように、前記中間ケーシング３は中間ケーシング本体３４と二枚の蓋体３５，３５を有する。
前記中間ケーシング本体３４は、一対のＣ型鋼３１，３１の下部が複数の梁部材３２，３３で一体に連結されてなり、平行する二側面が互いに反対方向外向きに開放されている。
前記Ｃ型鋼３１，３１と前記梁部材３２，３３は、図３の断面Ａ−Ａ及び断面Ｂ−Ｂに示すようにエンボス加工等による凹凸により精度よく組み付けられる。
【００２６】
前記蓋体３５，３５は、前記Ｃ型鋼３１，３１の開放される側面に形成されるフランジに、例えば図３に示すような一対の係止部材３６ａ，３６ｂによって着脱可能に装着される。
前記蓋体３５は、図３の断面Ｃ−Ｃに示すように下端に挿入部３７を有し、当該挿入部３７により下方のケーシングの上端と精度良く接続される。
【００２７】
図５は中間ケーシングの他の例の説明図を示す。
図５に示すように、前記中間ケーシング本体３４にはＨ型鋼を使用することもできる。前記Ｈ型鋼は平行する二側面が互いに反対方向外向きに開放されているため、図４に示す中間ケーシング本体３４と同様に用いることができる。
【００２８】
次に、図１に示すバケットエレベータの組立方法について説明する。
図６はバケットエレベータの組立方法の概略説明図であって、上部ケーシングをクレーン等により持ち上げた状態を示す。また、図７は図６における上部ケーシング内の様子の説明図を示す。
【００２９】
本発明の実施の形態におけるバケットエレベータの組立方法では、まず、上部ケーシング２に軸支される駆動プーリー５１に複数のバケット５２を装着したベルト５３の略中央を掛けた状態とした後に、前記上部ケーシング２をクレーン等により持ち上げる。
【００３０】
図８はバケットエレベータの組立方法の概略説明図であって、上部ケーシングに第１中間ケーシングを組み付ける様子を示す。図９は図８における上部ケーシング内及び第１中間ケーシング内の様子の説明図を示す。図１０はバケットエレベータの組立方法の概略説明図であって、上部ケーシングへの第１中間ケーシングの組み付けを完了した様子の説明図を示す。
【００３１】
作業者は、バケットエレベータの設置面上において、前記駆動プーリー５１の両側から前記上部ケーシング２の下方へ垂下する前記ベルト５３のそれぞれを、第１中間ケーシング本体３４ａの開口する上面及び前記開放される二側面から該第１中間ケーシング本体３４ａ内に収容しつつ当該第１中間ケーシング本体３４ａを前記上部ケーシング２の下部に固定する。
そして、作業者は、前記第１中間ケーシング本体３４ａの開放される二側面に蓋体３５ａ，３５ａを装着し、第１中間ケーシング３ａの上部ケーシング２への組付けを完了する。
【００３２】
ここでは、第１中間ケーシング本体３４ａを上部ケーシング２の下部に固定した後に、前記第１中間ケーシング本体３４ａの開放される二側面に蓋体３５ａ，３５ａを装着することとしたが、前記第１中間ケーシング本体３４ａの開放される二側面に蓋体３５ａ，３５ａを装着した後に、該第１中間ケーシング本体３４ａを上部ケーシング２の下部に固定することとしてもよい。
第１中間ケーシング本体３４ａの上部ケーシング２への固定と、前記第１中間ケーシング本体３４ａの開放される二側面への蓋体３５ａ，３５ａの装着の順序は、作業性や安全性等を考慮して作業者が任意に定めることができる。
【００３３】
図１１はバケットエレベータの組立方法の概略説明図であって、第１中間ケーシングに第２中間ケーシングを組み付ける様子を示す。
図１０に示すように上部ケーシング２への第１中間ケーシング３ａの組み付けを完了した後に、図１１に示すように前記上部ケーシング２をクレーン等によりさらに持ち上げる。
そして、作業者は、バケットエレベータの設置面上において、前記駆動プーリーの両側から前記第１中間ケーシング３ａの下方へ垂下する前記ベルト５３のそれぞれを、第２中間ケーシング本体３４ｂの開口する上面及び前記開放される二側面から該第２中間ケーシング本体３４ｂ内に収容しつつ当該第２中間ケーシング本体３４ｂを前記第１中間ケーシング３ａの下部に固定する。
【００３４】
その後、作業者は、前記第２中間ケーシング本体３４ｂの開放される二側面に蓋体３５ｂ，３５ｂを装着し、第２中間ケーシング３ｂの第１中間ケーシング３ａへの組付けを完了する。
ここで、第２中間ケーシング本体３４ｂの第１中間ケーシング本体３４ａへの固定と、前記第２中間ケーシング本体３４ｂの開放される二側面への蓋体３５ｂ，３５ｂの装着の順序は、作業性や安全性等を考慮して作業者が任意に定めることができる。
【００３５】
図１２はバケットエレベータの組立方法の概略説明図であって、全ての中間ケーシングの組付けを完了した様子を示す。図１３はバケットエレベータの組立方法の概略説明図であって、バケットエレベータの設置を完了した様子を示す。
中間ケーシングの数だけ上記組み付け作業を繰り返した後、最後に組み付けた中間ケーシングの下部に前記下部ケーシング４を固定するとともに、前記駆動プーリーの両側から前記最後に組み付けた中間ケーシングの下方へ垂下する前記ベルト５３の両端部を接続して前記駆動プーリーと前記下部ケーシング４に軸支される従動プーリー間に掛け渡される無端ベルトとなす。
【００３６】
ここで、最後に組み付けた中間ケーシングの下部への前記下部ケーシング４の固定と、駆動プーリーの両側から前記最後の中間ケーシングの下方へ垂下するベルト５３の両端部の接続の順序は、作業性や安全性等を考慮して作業者が任意に定めることができる。
また、前記ベルト５３の両端部の接続は、前記下部ケーシング４に設けられるメンテナンス用の開口等を利用して行うことができる。
【００３７】
以上の工程を経て、上部ケーシング２、中間ケーシング３及び下部ケーシング４の組み付け、並びに前記各ケーシング内におけるバケットコンベアの配設を終え、バケットエレベータ１の設置を完了する。
【００３８】
なお、上記本発明の実施の形態では、複数の中間ケーシングを上下に組み付けることとしたが、中間ケーシングは少なくとも一つあればよい。
【００３９】
上記本発明の実施の形態におけるバケットエレベータの組立方法によれば、上部ケーシング２に駆動プーリー５１を軸支することで、該駆動プーリー５１が自由に回転しないため、当該駆動プーリー５１にベルト５２を掛けた状態でも組立作業を安全に行うことができる。
【００４０】
上記本発明の実施の形態におけるバケットエレベータの組立方法によれば、平行する二側面が互いに反対方向外向きに開放される中間ケーシングを有するので、駆動プーリーの両側から垂下するベルト５３のそれぞれを、前記複数のバケットを装着した面の背面側から、前記中間ケーシング本体３４内に収容することができるため、組み付け作業を安全に効率よく行うことができる。
【００４１】
また、本発明の実施の形態におけるバケットエレベータの組立方法によれば、ケーシングの組み立てと同時に、該ケーシング内に配設されるバケットコンベアを構成することができるので、従来の組立方法のように、ケーシングの組み立てを終えた後に、改めてケーシングの上方からバケットを装着したベルトを投入する必要がなく、組立工数を削減できるため、バケットエレベータの組み立てにおいて全体の作業効率が向上する。
【００４２】
さらに、本発明の実施の形態におけるバケットエレベータの組立方法によれば、中間ケーシングや下部ケーシングを地上において順次組み付けることができるため、作業者は安全に効率よく作業を行うことができる。
【００４３】
そして、上記本発明の実施の形態におけるバケットエレベータは、中間ケーシングが、平行する二側面が開放される中間ケーシング本体と、前記二側面に装着される蓋体と、を有してなるので、上記組立方法により効率よく組み立てることができる。
【００４４】
また、本発明のバケットエレベータは、中間ケーシングの蓋体を取り外すことで前記中間ケーシング内の清掃を容易に行うことができる。
【００４５】
なお、上記本発明の実施の形態では、バケットコンベアとして複数のバケットを装着した無端ベルトを使用したが、複数のバケットを装着した無端チェーンを使用することもできる。
その場合、前記駆動プーリーに代えて駆動スプロケット、前記従動プーリーに代えて従動スプロケットを用い、前記両スプロケット間に複数のバケットを装着した無端チェーンを掛け渡すこととすればよい。
【００４６】
本発明は、上記実施の形態に限るものでなく、発明の範囲を逸脱しない限りにおいてその構成を適宜変更できることはいうまでもない。
【産業上の利用可能性】
【００４７】
本発明のバケットエレベータの組立方法は、ケーシングの組み立てと同時に、該ケーシング内に配設されるバケットコンベアを構成することができるので、組み立て全体の作業効率が向上する。
【符号の説明】
【００４８】
１      バケットエレベータ
２      上部ケーシング
３      中間ケーシング
３ａ      第１中間ケーシング
３ｂ      第２中間ケーシング
３ｃ      第３中間ケーシング
３ｄ      第４中間ケーシング
３１      Ｃ型鋼
３２      梁部材
３３      梁部材
３４      中間ケーシング本体
３５      蓋体
３６ａ，３６ｂ      係止部材
３７      挿入部
４      下部ケーシング
５１      駆動プーリー
５２      バケット
５３      ベルト
【図１】
2014234290.tif 000003
【図２】
2014234290.tif 000004
【図３】
2014234290.tif 000005
【図４】
2014234290.tif 000006
【図５】
2014234290.tif 000007
【図６】
2014234290.tif 000008
【図７】
2014234290.tif 000009
【図８】
2014234290.tif 000010
【図９】
2014234290.tif 000011
【図１０】
2014234290.tif 000012
【図１１】
2014234290.tif 000013
【図１２】
2014234290.tif 000014
【図１３】
2014234290.tif 000015